(57)【要約】      （修正有）【課題】子供から大人まで誰でもが、何時でも何処へでも、小さく軽く楽に移動できる多種類の機能を備えた多機能カートを提供する。【解決手段】周りに適宜の数のロープ通しの穴２７がある縦に細長い直方体ボード２の上部近傍にハンドル取手１を複数設け、その下に片面に折畳み椅子２０、反対側の片面にボックス４又はバッグを設け、最下部にはロープ通し穴のある荷台１６を兼ねた底板を備え、その荷台板の底に複数の車輪１５を取付けた。【選択図】図１
2020195749.tif 000002
【特許請求の範囲】
【請求項１】
軽くて、使用者の重さに耐える、浮力のある発泡樹脂プラスチック（一体成型の中が空洞のプレスチック製も含む）又は桐材集成材、木材、コルクなどで直方体ボードを構成し、その直方体ボードの上部近傍に、ハンドル取手を複数設け、ボードの周りにロープ通しの穴を適宜に設けた直方体ボードに、前後から見れば  Ｌ字状又は逆Ｔ字状に見えるようにボードの最下部に、同じく周りにロープ通し穴のある荷台を兼ねた底板を取付け、更にその上部とハンドル取手の間に、折畳み椅子やボックスをボードの片面に夫々取付ける、つまり長方体ボードの上部にハンドル取手、その下片面に折畳み椅子、その椅子の下にボックス又はバッグ、そして最下部に複数の車輪の着いた底板兼荷台という形になり、車輪又はキャスターが前後に対し、ハの字に適宜の角度で外側に拡がる状態にし、更に構造強化と浮力の補助の為、直方体ボードや椅子座面や脚面やボックス又はバッグの外縁部等には可能な限り浮力部材をを張り付けた、多数の機能を持つ横引き携行の多機能カート。
【請求項２】
荷台，直方体ボードの周りに、適宜の紐穴（ロープホール）を設け、ボックス又はバッグ、折畳み椅子、荷台等の角張っている部分には、角の無い丸みを施し、密封ボックスの浮力を補助する為ボックス（又はバッグ）の上下前後左右や蓋に、スポンジ、コルク、桐材、発砲樹脂などの弾力性のある発砲質の緩衝と浮力性を併せ持つ保護部材をカート機能に影響無い空間には、可能な限り張り付け、非常時の水難の際には蓋をした密封ボックス、又はバッグの浮力と合せて使用者も浮かぶ事ができ、また救助を求める人の救命用にもなる浮力の補助を可能にするカートにし、全ての車輪又はキャスターを取付ける所には、キャスター台座を前後から見れば適宜な角度で外側にハの字になる状態にした、請求項１の多数の機能を持つ横引き携行の多機能カート。
【発明の詳細な説明】
【技術分野】
【０００１】本発明は、横引き携行使用する多機能カートに関するものである。
【背景技術】
【０００２】運搬を目的とし使用の用途上、運ぶのに小型で軽いものが殆ど無く、峡い所や人々の混雑する場所や乗物の中や災害に会った時など、更に水分のある飲物パックや酒類や醤油や調味料等々、他にも一寸した家電製品購入時等々重く大きい荷物も数え切れない品物等々、運搬には多くの人が悩まされていた。【０００３】多種多様のカートがあるが、機能が２〜３種位のものが殆どで使用上専門職的な使い方が多く、一般的には多機能使用可能なものが殆ど無かった。【０００４】災害に会えば分かるが、水、食料、薬などの確保は重大な事で、それ等の受取り運搬が重要で、重量距離など人の手に負えない事が意外に多く、車輪の着いた楽に運べるカートの必要性は強く関係者からも切望されている。【０００５】人は椅子の無い所に長時間居られない、ほんの一時的でも一寸でも必ず何処かに腰掛け可能な椅子を求めるものなのだ。
【先行技術文献】
【特許文献】
【０００６】
【特許文献１】特開  ２０１５−１８４４５６号公報
【発明の概要】
【発明が解決しようとする課題】
【０００７】特許文献１のバッグは、取手が長過ぎ、下部のボックス積荷の重さがハンドルに影響し、操縦に難点があり、小型、軽量化、全体的に安定性にも難点があり、大き過ぎ、全体が重く、操作も万人向きでは無いなど難点が多々あった。【０００８】可愛い子供にランドセルという過酷な荷物を背負い込む事は無くしてあげたいと誰でも思うし、人は日常、私物、生活用品小物、便利な物等が身近に有れば身も、心も、気も優れ、明るく楽しい生活で生き生きするものである。【０００９】小学生のランドセルは、一年生の幼い子供には過酷なもので昔から現在まであの重さを当り前のように続けているが、何故改善されないのか大人が持って見てその重さに誰もが驚き、誰もが何とかしてやりたいと切望していた。【００１０】男女を問わず、子供から大人まで誰でもが、何時でも、何処へでも、小さく軽く、楽に移動でき、多種類の機能が可能なものを切望している
【課題を解決するための手段】
【００１１】使用者が水難時には、ボックスやバッグの周りにある発泡部材に守られた直方体ボードでの十分な浮力を活用し、備付けのロープで溺れた人を救助したり、逆に助けてもらったり、秋から冬は午後四時頃には暗くなり、夜には前照灯も付けて安全に通行としたいもの、荷物を入れたバッグには生活用品、水、食糧、薬、等々常備品を設けた防災型の多機能カートとしても使用が可能となるものを考案したものである。【００１２】このカートがあるだけで、身の回りの一寸した生活用品、杖、椅子、バッグなど必要なものが手元にあるので何処へ出かけても安心して出かけることや生活が楽しくなるような安心安堵の精神状態を保つことができるようにした。【００１３】災害に会って初めて気がつくのですが、支援物資の受け取りやそれ等の配布は、本当に重労動であり、必ず誰かがやらなければならない事であり、支援物資の受け取りや運搬は非常に大事なことなのです、全国各地で数々の災害が起きて報道されてますが、当事者は本当に大変なのです、可能であれば早期に小型軽量の電動モーター付も考慮計画中で、坂道の多い所には必儒品であり、その様なことを一寸でも役立ちたい気持ちで開発をしたものである。
【発明の効果】
【００１４】本発明は、杖、椅子、バッグ、フロート、ランドセル、ハンドバッグ、護身、楯、運搬、買物籠、旅行鞄、事務鞄、健康長寿の素等々の代用、その外にも、浮具として水難予防、防災用具、防犯用、精神安定、盗難防止、救急救命、水食糧薬等の確保やそれ等の運搬、熱中症対策用など２５種類以上）多機能多目的であり、更に備品のショルダーロープの活用による救急救命、盗難防止、精神的安定、荷物などの安全安定固定、その他の活用、等々多機能を持ち合わせた携行型のカートを提供できるものである。【００１５】小学生のランドセルの重さは、大人が持っても想像以上に重く、未成長の小学生には余りにも過酷でありランドセルの代用に、もちろん大人の外出時や事務用カートにもなり、女性のハンドバッグや買物籠や旅行鞄などにと用途が広く、また更に小型軽量の電動モーターを付ければ、子供から高齢者まで、男女の区別無く使え、更に便利なものが提供できるのである。
【図面の簡単な説明】
【００１６】
【図１】本発明の実施例１のボックス型の斜視図１−Ａ，Ｌ型タイプの斜視図１−Ｂ
【図２】同  実施例２の折畳み椅子の設定経過２−Ａ，→椅子と脚外す２−Ｂ，→前脚開く２−Ｃ，→脇脚開く２−Ｄ
【図３】同  実施例３のＬ型ボードタイプの斜視図３−Ａ，同  側面図３−Ｂ，同  椅子両面開脚正面図３−Ｃ
【図４】同  実施例４のＴ型ボックス・ボードタイプの斜視図４−Ａ，同  側面図４−Ｂ，同  正面図椅子開脚図４−Ｃ
【図５】樹脂による一体成型の実施例５のイメージ子供用例の正面図４−Ａ，同  斜視図４−Ｂ，同  側面図４−Ｃ
【図６】折畳み椅子の構図６の正面図６−Ａ，同  椅子と脚６−Ｂ，同  斜視図６−Ｃ，同  椅子前脚と横脚開く６−Ｄ
【図７】差込みＬ型手鍵引掛けフック７の椅子の引掛け構図７−Ａ，止め鍵受けと椅子の構図７−Ｂ
【図８】底板と車輪取付けの構図８の正面透視図８−Ａ，バッグ８−Ｂ，バッグ８−Ｃ，斜視図８−Ｄ
【図９】車輪又はキャスターを適宜の角度でハの字に取付け構図
【発明を実施するための形態】
【００１７】使用者による移動可能な２０数種類以上の機能を持つものを携行移動するものであり、周りに適宜の数のロープ通しの穴２６がある縦に細長い直方体ボード２の上部近傍にハンドル取手１を複数設け、その下に片面に折畳み椅子６、反対側の片面にボックス４又はバッグ２５を設け、最下部には荷台板２３に直角に取付けＴ型を逆さにした形ず４にし、その荷台板２３の底に複数の車輪１０を取付けたもの、つまり、複数の車輪１０の付いた荷台板２３の上に直方体ボード２が垂直に立てたもので、最上部にハンドル取手１があるもので、横引き携行移動するカートである。
【００１８】本実施形態図２のカートは、カート全体を一体として、安全確実に操作もできる主ハンドル１ａと副ハンドル１ｂがあり、左右どちらの方向にも自由に軽く舵取りが可能であるハンドル１ａ、１ｂを手に握り左右の方向が自由に、安全安全にート全体を操ることができる、そしてカート全体が小さく軽くできているので、あらゆる場所へそのまま電車バス乗用車航空機等やトイレ、レストラン各地でのイベント会場、長い行列のできてる所、混雑する所、海岸、山、河原等々場所を選ばずに持ち込めるカートである。
【００１９】日頃から水、軽食、薬や日常身の回りで使用してる小道具等も積んで有れば外出先や旅行は勿論、何処でも、非常時でも、慌てる事なく落着いて行動がき、出不精の人、運動不足の人、歩行や足に自信のない人、などには転ばない動く杖、操縦しやすいハンドル１、何時でも休憩できる折畳み椅子１９、水や薬や日常の小荷物も積める、至れり尽くせりの安心安全なカートである。
【００２０】ショルダーロープ１２は２０ｍ位あるので、常時ハンドル取手１ａ、１ｂの両端に数本の束を結び置き、通常は八の字にして体に１巻きしハンドル取手１ａ、１ｂ両端に繋いで使用する、▲１▼肩や腰にロープ１２を体に１巻きハンドル両端に繋ぎ、転倒防止や盗難や強盗などに会った時の護身用に使用する、▲２▼階段の昇り降りの時は、即刻そのまま束を肩に掛けて即刻上下する。▲３▼災害に遭遇、水難に遭った人の救助用と自分自身の救助を求める時の両方にも使用する、▲４▼飼犬などの引き綱や木などの止め綱や安全な方向への誘導ロープ、その他のロープを必要とするものにも使用する。
【００２１】前車輪を３６０度回転し走行ができるもので、カートの左右の方向転換するのに走行し、後車輪（又はキャスター）を前後にのみ回転させるのは、スムーズにに進行する為に直進性と安定性と安全性等を考慮しての舵取り安さと走行性の為である。
【００２２】ボード１の前方には、前照灯５が付けてあるので、夜になっても、秋から冬に掛けての頃は早く暗くなる時でも、夕方の込み合う時間でも安全で安心できるようにボード１の後部に夜行反射シール２１を張り付けたカートである。
【００２３】突然に痴漢に会ったり、強盗に会ったり、また事故や火事や自身の体調を崩し病院に行くなど、周囲の人に助けを求める時には，『誰か助けてー』，『警察へ連絡してー』，『救急車を呼んでー』，『Ｈｅｌｐ，Ｈｅｌｐ，Ｈｅｌｐー！』等々伝言を小型のスピーカーを付けて音量高く周りに知らせる機能を持つ装置を販売商品には付ける計画である。
【００２４】飲料水ボトル入れの保温保湿のバッグ２５には、夏には熱中症を防ぐ氷水や冷えたドリンク、冬には温めてタオルに包んで出掛けた途中で飲むお茶やジュースやドリンク、体も温かくなり季節も楽しめるものである。
【００２５】ハンドル１の高さは、平均的には背丈の約半分位が主ハンドル１ａの握り安い位置になり、腰骨の辺りが副ハンドル１ｂの位置になり、またハンドル１の両両サイドには、レジ袋や手提げ袋を掛けるフックが付き、ハンドバッグの代用にもなるし、小型で軽いのでトイレの中にも持ち込めるものは、今まで殆ど無かったので誰にも歓迎されるもの、その外にも全ての乗物、航空機内、電車、バス、自動車、船、エレベーター、エスカレーター等女性にとっても使い安く楽しいものである。
【００２６】各地イベント、音楽会、スポーツ観戦、各地祭り、各地各種の行事、旅行、列車、電車、バス、乗用車、船、航空機、エレベーター、エスカレーター等々各催物や乗物など出掛ける先は様々であるが、その時の大切な持ち物はお金と本発明である。
【００２７】本発明は、何時でも、何処へでも、老若男女誰でも、必ず使用者の役に立ち使用者を守ってくれる物なのであり、生活の為、健康の為、楽しみの為、災難の対応の為、等々大きな利用価値と可能性があるものであり、本発明は長期の研究と努力の末完成したもので、末長く健康長寿の友として、身の回りのもの必要最低限のものを揃えて、ワクワクする楽しみ、安心安全、心の安らぎと満足感を持って、健康長寿の友として、末長く元気に使える事を願って開発したものである。
【携行カートの特徴】
【００２８】▲１▼２０数件以上の用途目的に対応し、小型で操作が簡単、走行性、安全性が高く横引き携行型の多機能カートで全く新しい防災型生活必需品として、杖、折畳椅子、車輪またはキャスター付のバッグ、護身、防災、浮き具、旅行鞄、買物鞄、小学生のランドセル高学年用の鞄、女性のハンドバッグ、大きい人には主取手ハンドル１ａと小さい人には副取手ハンドル１ｂ、運搬、カート等が組み込まれ、トイレを始めあらゆる乗物や狭い場所、等あらゆる場所や行き先を選ばず、便利さを追求した万能的な多機能カートとして開発したものである。
【００２９】▲２▼ハンドルバーにレジ袋や手提袋を留めるフックが付き、動く杖１の機能を加え、それぞれの機能とバッグ４の中に水、軽食、医薬品、生活洋品等々を積み、ハンドバッグや旅行バッグの代用も可能で、かつ非常用の常備必需品の防災用品としても役立つもので、大きな開発目標であった。
【００３０】▲３▼小さい小学生のランドセルが見た目想像以上に重く可哀想で、なぜ時代の進んだ今日になっても改善されないのか、親として何とかしたいと思う人は多いのであり、本品はランドセルの代用が可能であり、また高学年用鞄や事務用の鞄や買物鞄などの代用も使用可能である。
【００３１】▲４▼散歩、買い物、健康維持用、荷物台２５  小テーブル、その他に音楽会、演芸会祭事、各種スポーツイベント、行列の伴う集団行事、その他等々常に長い時間歩いたり待たされたり列を離れたくない時、それ等の行動を助ける便利な必需品としても多機能要素を考慮したものである。
【００３２】▲５▼折畳み椅子１９がセットされているので、何時でも、何処でも座ることが出来るので安心ですが椅子が無いと、体力の無い人とっては非常に体力的に疲弊するものなのであり、その外にも直方体ボード２の脇には止め金を取付ければ雨傘を、夏には日傘なども使用可能となるのである。
【００３３】▲６▼杖の代用の外、体力弱者や女性などには、カート全体を楯にして護身用としたり、また野犬や処によって熊や時には痴漢除けの道具にしての使用も可能で、精神的にも少し安心であり、ある意味頼り甲斐のある生活用品とも感じられるものである。
【００３４】▲７▼緊急に警察、病院、火事、災害等に遭遇した時には携帯でも可能であるが備え付けサイレンと通報のスイッチも装置設置するようにでき、また特に高齢者の健康長寿のために、歩行運動や体力を身に付けるために、このカートを生活の中に取入れ活用し、一寸した事であるが大きな安心感と気持ち良い健康的な精神が自然に養われるのものである。
【００３５】▲８▼ショルダーロープ１２は肩掛けして階段の上り下りの時用に、また手や腰に繋ぎ止め、巻付けて盗難防止、安全な方向へ誘導する時に、そして水難事には伸ばせば２０ｍ位あり救助用に、勿論助けてもらう時にも必要なもの、更に小型軽量の電動Ｍ付のものがあれば便利さも増すものなので計画中である。
【００３６】▲９▼水難時には、蓋を閉じるとバッグが密閉され浮力により、使用者もカート全体と共に浮くことが可能、当然水難救助の救命用具としても活用、これまでに無い全く新しい機能であり、特に海岸、山、河川に行く時は是非、携行すべき物である。また、女性はハンドバッグのほかに２〜３個の手提袋を抱えて汗を掻き手をしびれさせ四苦八苦して、荷物運びをしていますが、このカートは全てを簡単に楽々と助けることが可能なのである。
【００３７】▲１０▼災害時に於ける水、食糧、医薬品、その他生活用品等の支援物資の受け取りや一寸した物の運びも大変な作業であるが、本品があれば楽に可能である災害時には水や食料はもちろん、衣類や薬を調達したり、身の周りにも健康にも気を使い、東奔西走しながら修羅場から運よく助かって疲れや心を休めたい時こそ、何か心を癒してくれる小道具的なものが欲しいものである。
【００３８】▲１１▼外観的なイメージとして、見ただけでホッとするような（例えば小犬、コアラ、ペンギン、花、名勝地、海山川自然風景等々の写真や絵を図柄にしてバッグの左右前後の側面に張り付けたり表示したり、また時には広告宣伝等も活用可能にすることも可能である。
【００３９】▲１２▼全く新しい２１世紀にふさわしい、優しく親しみのあるスマートなデザインを考慮、小さく可愛いい子供のような丸く柔らかい感じと、誰でも触りたくなるような感触に見えるよう、ボード全体の角や切り込みや椅子や脚、バッグ又はボックス、そして小さいながら軽さと便利さと存在感のあるカートの美しさを秘め、色やデザインも考慮し、更に楽しい生活と強い精神と健全な心を、このカートを使用した人に与えられる事を念願して開発したものである。
【産業上の利用可能性】
【００４０】何時でも、何処でも、老若男女誰にでも生活上便利な多種多様の用途に対応が可能であり、代用の主なものだけで、▲１▼ランドセル  ▲２▼ハンドバッグ  ▲３▼買物籠  ▲４▼旅行鞄  ▲５▼防災用具  ▲６▼水難救命用具  ▲７▼運動用具  ▲８▼災害活動用具  ▲９▼キャンプ林間の生活用具  ▲１０▼護身用具  ▲１１▼福祉＝擁護施設の器具  ▲１２▼健康長寿の友  ▲１３▼安全安心の精神的信頼感  ▲１４▼地域振興産業製品  ▲１５▼非常用品  ▲１６▼その外数件と、▲１７▼杖１  ▲１８▼椅子８  ▲１９▼ボックス４  ▲２０▼浮き具  ▲２１▼ショルダーロープ救命用具１６  ▲２２▼防火防災防犯の通報用具の設置  等々他にも漏れてるが数え切れない程の多様多種な二十数件以上が可能になり、大きく社会貢献が可能になったものである。
【符号の説明】
【００４１】  １  ハンドル（取手）主ハンドル１ａ，副ハンドル１ｂ
２  ボード
３  フック（手提袋の引掛け軸）
４  ボックス
５  前照灯
６  ２座折畳み椅子（上側が物入、下側が座席側）
７  丁番（蓋は２カ所、椅子は３カ所）＝蝶番（ちょうつがい）
８  止め鍵（蓋も椅子も２カ所）
９  底板
１０  車輪（直進走行のみ）
１１  車輪（３６０度回転走行）
１２  ショルダーロープ２０ｍ（救命、護身、階段時肩懸け等兼用）ハンドルに５〜６巻掛け、使用者１巻
１３  長トレー（水平１個）
１４  発泡樹脂、ウレタン、桐材等の浮力部材
１５  車輪（又はキャスター）
１６  荷台
１７  底板
１８  バッグの鍵
１９  折畳み椅子の構図（ボード＋小物入れ＋椅子＋蓋＋ボックス）
２０  折畳み椅子
２１  差込み鍵付ボード＋折畳み椅子（座椅子＋脚足＋補強横扉脚足）
２２  補強＋横扉脚足
２３  縦脚足
２４  横扉脚足止め
２５  保温保湿バッグ（片側又は両側）
２６  止め鍵受け
２７  ロープ通しホール
２８  荷物（仮想定）
２９  反射シール
３０  蓋
【図１】
2020195749.tif 000003
【図２】
2020195749.tif 000004
【図３】
2020195749.tif 000005
【図４】
2020195749.tif 000006
【図５】
2020195749.tif 000007
【図６】
2020195749.tif 000008
【図７】
2020195749.tif 000009
【図８】
2020195749.tif 000010
【図９】
2020195749.tif 000011